(57)【特許請求の範囲】
【請求項１】
ロッドの先端の雄ネジにビットの雌ネジを螺合して取付けるさく孔用ドリルビット構造であって、前記ビットとロッドとの間に、個別のリトラクトビットを介装し、このリトラクトビットを、前記ロッドとビットとの螺合時のネジの推力で、当該ロッドの先端の雄ネジの後方に設けられているテーパ部に押圧して固定したことを特徴とするさく孔用ドリルビット構造。
【請求項２】
前記ビットとリトラクトビットとの接合部には、互いにトルクを伝達可能な係合部を形成したことを特徴とする請求項１に記載のさく孔用ドリルビット構造。
【発明の詳細な説明】
【０００１】
【発明の属する技術分野】
本発明は、例えば岩盤等のさく孔装置に用いられるドリルビット構造に関するものであり、特にロッドの先端の雄ネジにビットの雌ネジを螺合して取付ける形態のものに好適なものである。
【０００２】
【従来の技術】
一般にさく孔装置に用いられるドリルビットは、ビット部分だけを交換できるように、ロッドの先端の雄ネジにビットの雌ネジを螺合して取付けるようになっている。このビット構造には、ビットの先端、つまりさく孔する側にのみ歯（ボタン）を設けたものと、図３に示すように、ビットＢの後端部にも歯Ｔを設けたものとがある。このうち、後者は、リトラクトビットともよばれ、ロッドＲの回収時、さく孔した孔の中に落ちた繰り粉をビットＢの後端部の歯Ｔでかき分けることにより、ビット部分の抜去を容易にしたものである。
【０００３】
【発明が解決しようとする課題】
ところで、前記リトラクトビットは、一つのドリルビットの先端と後端とに歯が形成されているため、高価である。また、ビット後端の歯は、岩盤の性状によっては、摩耗したり、しなかったりする。つまり、岩盤によっては、さく孔した孔の中に繰り粉が落ちないこともあり、そのようなときには、ビット後端の歯は摩耗しない。しかしながら、ビット先端の歯は、さく孔作業により確実に摩耗するので、場合によっては、ビット後端の歯が、完全に摩耗しきっていないのに、高価なリトラクトビット全体を交換しなければならなくなり、無駄が多いという問題がある。
【０００４】
本発明は、これらの諸問題に鑑みて開発されたものであり、ビット後端の歯、つまりリトラクトビットを別体とし、且つ簡単に脱着可能として、無駄をなくすことができるさく孔用ドリルビット構造を提供することを目的とするものである。
【０００５】
【課題を解決するための手段】
かかる目的を達成するために、本発明のうち請求項１に係るさく孔用ドリルビット構造は、ロッドの先端の雄ネジにビットの雌ネジを螺合して取付けるさく孔用ドリルビット構造であって、前記ビットとロッドとの間に、個別のリトラクトビットを介装し、このリトラクトビットを、前記ロッドとビットとの螺合時のネジの推力で、当該ロッドの先端の雄ネジの後方に設けられているテーパ部に押圧して固定したことを特徴とするものである。
【０００６】
また、本発明のうち請求項２に係るさく孔用ドリルビット構造は、前記請求項１に係る発明において、前記ビットとリトラクトビットとの接合部には、互いにトルクを伝達可能な係合部を形成したことを特徴とするものである。
【０００７】
【発明の実施の形態】
以下、本発明の実施の形態を図面等を参照して説明する。
図１、図２は本発明のさく孔用ドリルビット構造の一実施形態を示すものである。このドリルビット構造に用いられるロッド１は、従来既存のものであり、特に変更を必要としない。従って、ロッド１の先端の雄ネジ２の後方には、当該雄ネジ２を切るためのテーパ部３が設けられている。
【０００８】
この実施形態に使用されるビット４は、先端部にのみ、歯（ボタン）５が設けられたもので、特に本実施形態では、後述するリトラクトビットにガイド部が設けてあるので、ビット４側には必要ない。また、ビット４の後端部からは、前記ロッド１の雄ネジ２に螺合する雌ネジ６を形成する。また、ビット４の後端部には、後述するリトラクトビットの係合凸部が嵌入する係合凹部７を形成する。本実施形態の係合凹部７は、ロッド１の回転方向と逆側が垂直面で、その反対側がテーパ面になっている。
【０００９】
一方、リトラクトビット８は、前記ロッド１の先端部の雄ネジ２の外径程度の内径を有する円筒部材であり、外周にはガイド９及び溝１０が形成されている。また、リトラクトビット８の後端部には、ロッド１の格納時に繰り粉をかき分ける歯１１を形成する。また、リトラクトビット８の先端部には、前記ビット４の係合凹部７に嵌入する係合凸部１２を形成する。また、リトラクトビット８内径部の後端部には、後述するストッパを収納する拡径部１３が形成されている。
【００１０】
前記ストッパ１４は、図２に明示するように、前記ロッド１のテーパ部３に密着するテーパ内面１５を有するリング部材であり、その外径は、前記リトラクトビット８の拡径部１３に嵌入する径としてある。また、このストッパ１４の内径は、前記テーパ内面１５とロッド１のテーパ部３との接合面積を大きくするために、前記ロッド１の先端部の雄ネジ２の実寸外径よりやや小さくし、それを当該雄ネジ２のリードに合わせて回転しながらストッパ１４をロッド１の先端部からねじ込むようにした。また、このストッパ１４の内径は、前記テーパ部３の最大径より小さい。
【００１１】
従って、このドリルビット４構造を組み立てるときには、図１ｂに明示するように、前記ストッパ１４のテーパ内面１５をロッド１のテーパ部３に密着させ、次いで、このストッパ１４が拡径部１３に収納されるようにして、リトラクトビット８を当該テーパ部３から雄ネジ２にかけて被せ、最後にビット４の雌ネジ６をロッド１の雄ネジ２に螺合し締め付けると、そのネジの推力でリトラクトビット８がストッパ１４のテーパ内面１５を介してロッド１のテーパ部３に押しつけられて固定する。実際の使用時、特にロッド１を回収するときには、ロッド１の回転トルクはロッド１にネジ結合されたビット４から係合凹部７、係合凸部１２の係合部を介してリトラクトビット８に伝達されるので、孔に落ちた繰り粉を歯１１で確実にかき分けることができる。
【００１２】
また、ビット４やリトラクトビット８を交換するときには、単にビット４の螺合を緩めるだけで、ビット４、リトラクトビット８、ストッパ１４を分解することができるので、必要に応じて、つまり摩耗した部材だけを単独で交換すればよい。従って、本実施形態のドリルビット４構造によれば、例えばリトラクトビット８が摩耗しきっていないときにはビット４だけを、リトラクトビット８も摩耗してしまったときには、リトラクトビット８も同時に交換することが可能となり、無駄を低減することができる。
【００１３】
【発明の効果】
上記の説明から明らかなように、本発明のうち請求項１に係るさく孔用ドリルビット構造によれば、ビットとロッドとの間に、個別のリトラクトビットを介装し、ロッドの先端の雄ネジにビットの雌ネジを螺合すると、そのネジの推力で、リトラクトビットがビット雄ネジの後方のテーパ部に押圧されて固定される構造としたため、別体とされたリトラクトビットを既存のロッドに簡潔に脱着することができると共に、リトラクトビットを別体として、それが摩耗するまで使用可能とし、無駄を低減することができる。
【００１４】
また、本発明のうち請求項２に係るさく孔用ドリルビット構造によれば、ビットとリトラクトビットとの接合部に、互いにトルクを伝達可能な係合部を形成したことにより、リトラクトビットへのトルクは、ロッドからビットを介して確実に伝達され、ロッド格納時の繰り粉のかき分けを確実に行うことができる。
【図面の簡単な説明】
【図１】本発明のさく孔用ドリルビット構造の一実施形態を示すものであり、（ａ）は正面図、（ｂ）は縦断面図である。
【図２】図１のストッパの詳細を示すものであり、（ａ）は側面図、（ｂ）は正面図である。
【図３】従来のさく孔用ドリルビット構造の一例を示すものであり、（ａ）は正面図、（ｂ）は縦断面図である。
【符号の説明】
１はロッド
２は雄ネジ
３はテーパ部
４はビット
５は歯（ボタン）
６は雌ネジ
７は係合凹部（係合部）
８はリトラクトビット
９はガイド
１０は溝
１１は歯
１２は係合凸部（係合部）
１３は拡径部
１４はストッパ
１５はテーパ内面
【図１】
0004043667.tif 000002
【図２】
0004043667.tif 000003
【図３】
0004043667.tif 000004